(57)【要約】【課題】凸レンズ、凹レンズ共に接着剤を用いることなく組み立てが行なえるようにしたドアースコープを提供する。【解決手段】内筒取り付け部材１に螺合される内筒７に挿入したスリーブ１１と内筒取り付け部材１および内筒７のストッパー部４とおよび９の間で凹レンズ５および凸レンズ１０を挟持し、前記内筒７の外側に外筒１３を螺合させるようにした。【選択図】        図２
2004316074.tif 000002
【特許請求の範囲】
【請求項１】
内筒取り付け部材に螺合される内筒に挿入したスリーブと内筒取り付け部材および内筒のストッパー部との間で凹レンズおよび凸レンズを挟持し、前記内筒の外側に外筒を螺合させるようにしたことを特徴とするドアースコープ。
【請求項２】
内筒取り付け部材には室外側フランジ部が形成され、外筒には室内側フランジ部が形成されていることを特徴とする請求項１記載のドアースコープ。
【発明の詳細な説明】
【０００１】
【発明の属する技術分野】
本発明は、ドアーを貫通するようにドアーに取り付けられ、ドアーの内側からドアーの外側を観察することができるドアースコープに関するものである。
【０００２】
【従来の技術】
従来のこの種ドアースコープとして、例えば特許文献１に開示されている防犯レンズが知られている。この特許文献１に開示されている防犯レンズは一端に室外側フランジ部を有する内筒と、この内筒の雄ねじ部に螺合する雌ねじ部を有し一端に室内側フランジ部を有する外筒と、前記内筒の他端側においてストッパー片とスリーブにより挟持される接眼レンズとしての凸レンズと、内筒の一端側の室外側フランジ部内側におけるレンズ収容凹部に接着剤により接着固定される対物レンズとしての凹レンズとを備えている。
【０００３】
このような特許文献１に開示されている防犯レンズにあっては凸レンズはストッパー片とスリーブにより挟持されるようになっているものの、凹レンズは接着剤により接着固定されるようになっており、レンズ収容凹部に接着剤を塗布する細かな作業が必要であり、組み立て作業性が悪いという問題があった。
【０００４】
【特許文献１】
特開２００２−３０８７５号公報
【０００５】
【発明が解決しようとする課題】
本発明はこのような課題を解決するもので、凸レンズ、凹レンズ共に接着剤を用いることなく組み立てが行なえるようにしたドアースコープを提供することを目的とするものである。
【０００６】
【課題を解決するための手段】
この課題を解決するために本発明は、内筒取り付け部材に螺合される内筒に挿入したスリーブと内筒取り付け部材および内筒のストッパー部との間で凹レンズおよび凸レンズを挟持し、前記内筒の外側に外筒を螺合させるようにしたことを要旨とするものである。また本発明は、内筒取り付け部材には室外側フランジ部が形成され、外筒には室内側フランジ部が形成されていることを要旨とするものである。
【０００７】
この構成により、内筒取り付け部材に螺合される内筒に挿入したスリーブと内筒取り付け部材および内筒のストッパー部との間で凹レンズおよび凸レンズを挟持することにより、凹レンズおよび凸レンズを接着剤を使用することなく内筒取り付け部材と内筒に組み込むことが可能となり、組み立て作業性を向上させ、ドアースコープを安価に提供することができる。
【０００８】
【発明の実施の形態】
以下、本発明の一実施の形態について、図面に基づいて説明する。
図１〜図３において、１は軸心方向の一端外側に室外側フランジ部２が形成された内筒取り付け部材で、筒状となっており、この内筒取り付け部材１の軸心方向の一端内側から中間部に亘って凹レンズ収容凹部３が形成され、この凹レンズ収容凹部３の外側に向く内筒取り付け部材１の端部内面には内径が凹レンズ収容凹部３の内径より僅かに小さな環状のストッパー部４が形成されている。５は前記凹レンズ収容凹部３に凹面同士が向き合う２枚重ねの状態で収容される対物レンズとしての凹レンズで、一方の凹レンズ５のフラットな面の外周は前記ストッパー部４に当たって内筒取り付け部材１の軸心方向の一端側から抜け外れるのを防止されている。前記凹レンズ収容凹部３の内側に向く内筒取り付け部材１の軸心方向の他端側の内面には凹レンズ収容凹部３の端部に連続するように雌ねじ部６が形成されている。７は軸心方向の一端外側に前記雌ねじ部６と螺合する雄ねじ部８が形成された内筒で、この内筒７の軸心方向の他端内面には内径が内筒７の内径より僅かに小さな環状のストッパー部９が形成されている。１０は内筒７の軸心方向の他端内側に挿入される接眼レンズとしての凸レンズで、一方の面の外周は前記ストッパー部９に当たって内筒７の軸心方向の他端側から抜け外れるのを防止されている。１１は内筒７の軸心方向の一端より挿入される筒状のスリーブで、このスリーブ１１の先端と前記ストッパー部９との間で凸レンズ１０を挟持するように構成されている。なお、このスリーブ１１の他端は外側に直角に折り曲げられて、その折り曲げ片１１ａが内筒７の軸心方向の一端面に当接するようになっている。この折り曲げ片１１ａは外径が前記雄ねじ部８の径、つまり内筒取り付け部材１の雌ねじ部６の径よりも小さくなるように形成されている。さらに、前記内筒７の外面には前記雄ねじ部８に対し僅かに離れた位置から軸心方向の他端に亘って雄ねじ部１２が形成されている。
【０００９】
前記内筒７に凸レンズ１０を挿入し、この凸レンズ１０をストッパー部９とスリーブ１１の先端との間で挟持し、凹レンズ収容凹部３に凹レンズ５を２枚重ねの状態で収容した状態の内筒取り付け部材１の雌ねじ部６に対し内筒７の雄ねじ部８を螺合させる。これにより、スリーブ１１の折り曲げ片１１ａの先端の垂直面１１ｂが前記２枚重ねの凹レンズ５の他方の凹レンズ５のフラットな面の外周に当接し、２枚重ねの凹レンズ５を折り曲げ片１１ａと前記ストッパー部４との間で挟持することになり、且つスリーブ１１の動きも止められ、延いては凸レンズ１０の動きも止められる。このようにして内筒取り付け部材１と内筒７とが一体化され、同時に凹レンズ５および凸レンズ１０のセットが行なわれる。
【００１０】
１３は前記内筒７の雄ねじ部１２に螺合する雌ねじ部１４を内面に持つ外筒で、雌ねじ部１４を雄ねじ部１２に螺合させることにより軸心方向の一端が内筒取り付け部材１の他端面に当接して外筒１３の動きが止められるようになっている。なお、この外筒１３の軸心方向の他端には室内側フランジ部１５が形成されている。
【００１１】
ところで、前記内筒取り付け部材１、内筒７、スリーブ１１、外筒１３は亜鉛もしくは真鍮などの金属を材料に用いて作られており、凹レンズ５および凸レンズ１０はガラスもしくはプラスチックを材料に用いて作られている。
【００１２】
上記のようにして内筒取り付け部材１と内筒７に凹レンズ５および凸レンズ１０が組み込まれた状態で内筒７に対し、外筒１３を螺合させることによりドアースコープが完成するのであるが、ドアー１６に対しドアースコープを取り付けるときは内筒７側と外筒１３側を切り離しておき、内筒取り付け部材１が結合された内筒７をドアー１６の外側からドアースコープ取り付け穴１６ａに差し込み、外筒１３をドアー１６の内側からドアースコープ取り付け穴１６ｂに差し込む。そして、内筒７に対し外筒１３を螺合させて締め付けることによりドアースコープがドアー１６のドアースコープ取り付け穴１６ａ，１６ｂに取り付けられることになる。なお、外筒１３の締め付けは軸心方向の他端面に形成されている−状溝部１７に治具を係合させて外筒１３を回転させることにより行なうことができる。そして、ドアー１６に対しドアースコープの取り付けが完了した状態において内筒取り付け部材１の室外側フランジ部２がドアースコープ取り付け穴１６ａの周りのドアー１６の外側面に当接し、外筒１３の室内側フランジ部１５がドアースコープ取り付け穴１６ｂの周りのドアー１６の内側面に当接する。
【００１３】
【発明の効果】
以上のように本発明によれば、内筒取り付け部材に螺合される内筒に挿入したスリーブと内筒取り付け部材および内筒のストッパー部との間で凹レンズおよび凸レンズを挟持することにより、凹レンズおよび凸レンズを接着剤を使用することなく内筒取り付け部材と内筒に組み込むことが可能となり、組み立て作業性を向上させ、ドアースコープを安価に提供することができる。
【図面の簡単な説明】
【図１】本発明の一実施の形態におけるドアー用スコープの分解斜視図である。
【図２】（Ａ）〜（Ｃ）は同ドアー用スコープの組み立て順序を示す断面図である。
【図３】同ドアー用スコープをドアーに取り付けた状態を示す断面図である。
【符号の説明】
１              内筒取り付け部材
２              室外側フランジ部
３              凹レンズ収容凹部
４              ストッパー部
５              凹レンズ
６              雌ねじ部
７              内筒
８              雄ねじ部
９              ストッパー部
１０              凸レンズ
１１              スリーブ
１１ａ            折り曲げ片
１１ｂ            垂直面
１２              雄ねじ部
１３              外筒
１４              雌ねじ部
１５              室内側フランジ部
１６              ドアー
１６ａ，１６ｂ    ドアースコープ取り付け穴
【図１】
2004316074.tif 000003
【図２】
2004316074.tif 000004
【図３】
2004316074.tif 000005